(57)【要約】【課題】  組立工程の簡略化と部品点数の削減とを図りつつ、配線基板の禁止領域を狭くすることを可能にする。【解決手段】  取付け部材３０が、キャビネット２２に樹脂で一体成形されたフード形状のカバー体５０で覆われている。カバー体５０からの取付け部材３０の抜け出しを阻止する係合機構６０を備える。係合機構６０が、カバー体５０側の凹入部６１と取付け部材３０側の山形、好ましくは円錐形状の突起６５とでなる。取付け部材３０をカバー体５０に挿入するときには、突起６５の誘導ガイド面６７がカバー体５０の天壁部５６と摺動して取付け部材３０の板片部３３を弾性に抗して変形させる。【選択図】  図３
2012191082.tif 000002
【特許請求の範囲】
【請求項１】
壁掛け金具を相手方部材とする板金製の取付け部材が、樹脂製キャビネットの内側に配備される配線基板との対向位置で上記キャビネットに装着されていて、上記取付け部材に設けられたねじ孔が、上記キャビネットに開設された開口に対峙していると共に、その取付け部材が上記キャビネットに樹脂で一体成形された静電気遮蔽機能を備えるカバー体で覆われてなる壁掛け金具取付け部材の装着部構造において、
上記カバー体が、側壁部と天壁部とを有して、その側壁部の１箇所に上記取付け部材を出し入れ可能な開口部が形成されたフード形状の囲構体でなり、
上記開口部を通して上記カバー体に挿入された上記取付け部材が上記開口部から抜け出ることを阻止する係合機構を備えていて、その係合機構が、カバー体の上記天壁部に設けられた凹入部と、上記取付け部材に設けられて上記凹入部に係合する突起とでなり、
上記突起が、上記取付け部材に具備された板片部の一箇所を山形に膨出させることによって形成されていて、
上記取付け部材を上記カバー体に挿入する工程で、当該突起がカバー体の上記天壁部と摺動して上記板片部を弾性に抗して変形させながら上記凹入部に導入されるように構成されていると共に、上記凹入部に導入された上記突起が上記凹入部の縁部を弾圧している反力で、当該取付け部材が上記キャビネットとカバー体の上記天壁部との間で弾圧挟持されていることを特徴とする壁掛け金具取付け部材の装着部構造。
【請求項２】
上記取付け部材が、上記ねじ孔を有するベース片部とこのベース片部に対向する上記板片部とこれらのベース片部及び板片部の後端部同士を連結している中間片部とを有する側面視コ字形に形成されているのに対し、上記カバー体が、上記凹入部を備え、かつ、上記キャビネットの内面に対して上記開口部に向かう上がり勾配を有する傾斜した上記天壁部を有する請求項１に記載した壁掛け金具取付け部材の装着部構造。
【請求項３】
上記凹入部をカバー体の上記天壁部の奥側端部に近い箇所に形成し、かつ、上記突起を上記取付け部材の板片部の前端部に近い箇所に形成することによって、上記取付け部材を上記カバー体に挿入する工程で、カバー体の上記天壁部よりも上記板片部が弾性に抗して変形しやすくなるように構成してある請求項１又は請求項２のいずれか１項に記載した壁掛け金具取付け部材の装着部構造。
【請求項４】
上記凹入部が、カバー体の上記天壁部に開設された円形の貫通孔部でなり、上記突起が円錐形状を有している請求項１ないし請求項３のいずれか１項に記載した壁掛け金具取付け部材の装着部構造。
【請求項５】
上記カバー体を形成している囲構体が、そのカバー体に挿入された取付け部材の後方位置まで延び出ている請求項１ないし請求項４のいずれか１項に記載した壁掛け金具取付け部材の装着部構造。
【請求項６】
貫通孔部によって形成されている凹入部の上記貫通孔部の孔縁部に、当該カバー体の外側に延び出た筒部が連設されている請求項１ないし請求項５のいずれか１項に記載した壁掛け金具取付け部材の装着部構造。
【発明の詳細な説明】
【技術分野】
【０００１】
本発明は、壁掛け金具取付け部材の装着部構造、詳しくは、壁掛け式として使用可能な薄型テレビジョン受像機などの画像表示装置に採用される壁掛け金具取付け部材の装着部構造に関する。
【背景技術】
【０００２】
この種の画像表示装置にあっては、室内の壁面などに装着される壁掛け金具を当該表示装置のキャビネットに取り付け可能にするための種々の提案がなされている（たとえば、特許文献１、特許文献２、特許文献３参照）。そして、上掲の特許文献１には、重量の比較的重い電子機器の壁掛け構造についての記述があり、この壁掛け構造では、壁面に固定される壁掛け金具に設けられた導入孔に、電子機器の背面に取り付けられた壁掛けベースに具備されているＬ字形の係止片を係合させるという構成が採用されている。特許文献２では、壁面に固定された取付け金具のフックを、電子部品を収納した筐体の裏面に備わっているフック係止部に嵌着する、という構成が開示されている。また、特許文献３には、取付けレールに電気機器の筐体を取り付けるための筐体固定装置についての記述がある。
【０００３】
しかしながら、特許文献１及び特許文献２によって提案されているものは、室内などの壁面に固定されている壁掛け金具やフック付き金具などに電子機器の筐体を取り付けるための構成に関するものであって、壁掛け金具に取り付けられる取付け部材を薄型テレビジョン受像機などのキャビネットに取り付ける構造に係るものではない。
【０００４】
一方、室内などの壁面に固定される壁掛け金具に画像表示装置のキャビネットを取り付けることを可能にために、そのキャビネットにねじ孔を有する板金製の取付け部材を装着したものが従来より知られている。この種の従来例の構成を図１０や、図１１及び図１２に示してある。
【０００５】
図１０は第１従来例の概略分解斜視図である。この第１従来例では、キャビネット、具体的には薄型テレビジョン受像機の樹脂製のリアキャビネット１００の内側に、側面視クランク形状に成形された板金製の取付け部材（「ウォールマウントブラケット」と呼ばれている）２００を取付けビス１１０を用いてビス止めする、という構成が採用されている。取付け部材２００には、リアキャビネット１００側の開口１２０に対峙しているねじ孔２１０が設けられている。
【０００６】
図１１は第２従来例の分解斜視図、図１２は第２従来例の外観斜視図である。このものは、キャビネット、具体的には薄型テレビジョン受像機の樹脂製のリアキャビネット１００の内側に、図１１のように樹脂でなる四角筒形の保持枠１３０を一体に成形しておき、その保持枠１３０に板金製の取付け部材２００を圧入して嵌め込んだ後、保持枠１３０に樹脂製の箱形カバー体３００を被せることにより、その箱形カバー体３００で保持枠１３０の開口部１３１を覆う、という構成が採用されている。この第２従来例において、取付け部材２００には、リアキャビネット１００側の開口（図に現れていない）に対峙するねじ孔２１０が設けられている。また、リアキャビネット１００には、箱形カバー体３００を固定するための係合フック１４０が設けられている。
【先行技術文献】
【特許文献】
【０００７】
【特許文献１】特開２００２−１５８４５６号公報
【特許文献２】実用新案登録第３０４４５７６号公報
【特許文献３】特開２００１−２８４８３７号公報
【発明の概要】
【発明が解決しようとする課題】
【０００８】
図１０を参照して説明した第１従来例は、取付け部材２００をリアキャビネット１００にビス止めする作業が煩わしく、特に、リアキャビネット１００の複数箇所（たとえば４箇所）に取付け部材２００を装着する必要があるときには、それらの各箇所でのビス止め作業が必要になって組立作業性が極端に低下してしまうという問題があった。また、近時ではテレビジョン受像機の薄形化が促進されているために、テレビジョン受像機に必須の制御用の配線基板（不図示）に取付け部材２００の取付け位置が近接する傾向がある。このことにより、配線基板に形成された制御回路と取付け部材２００との相互間に要求される空間距離を十分に広く確保するためや、ＥＳＤ試験対策（静電気破壊試験対策）のためなどに、配線基板に設けられる制御回路の存在しない禁止領域を広く確保する必要が生じ、そのことが基板設計にとって不利な状況を招いているという問題もあった。
【０００９】
これに対し、図１１及び図１２を参照して説明した第２従来例では、樹脂製の保持枠１３０に挿入された取付け部材２００が非導電体である樹脂で成形された箱形カバー体３００によって覆われているので、取付け部材２００からの静電気の放電が配線基板の制御回路に悪影響を及ぼす範囲が狭くなって、配線基板に設けられる制御回路の存在しない禁止領域を狭くすることが可能になり、それだけ基板設計にとって有利になるという利点がある。また、この第２従来例では、リアキャビネット１００の４箇所に取付け部材２００を装着するときでも、取付け部材２００を保持枠１３０に挿入するだけでその取付け部材２００を固定する構成を採用し得るので、ビス止め作業によって組立作業性が低下するという事態を回避することも可能である。
【００１０】
しかしながら、上記の第２従来例は、組立工程に関して、保持枠１３０に取付け部材２００を圧入して強嵌合させる工程と、取付け部材２００を挿入した保持枠１３０に箱形カバー体３００を被せる工程との２工程が必要になる。そのため、取付け部材２００を取り外すことが極めて困難になる。また、保持枠１３０をリアキャビネット１００に成形しておく必要があるほか、箱形カバー体３００を余分に成形する必要がある。
【００１１】
本発明は、以上に鑑みてなされたものであり、第２従来例に比べ、組立作業性が改善されて１工程で組立工程を終えることができる一方で、一旦組み立てた取付け部材を容易に取り外すことが可能であり、しかも、第２従来例のように箱形カバー体３００を余分に成形する必要性を無くすることによって、組立工程の簡略化と部品点数の削減を図ることができるにもかかわらず、配線基板に設けられる制御回路の存在しない禁止領域を狭くすることが可能になる壁掛け金具取付け部材の装着部構造を提供することを目的としている。
【課題を解決するための手段】
【００１２】
本発明に係る壁掛け金具取付け部材の装着部構造は、壁掛け金具を相手方部材とする板金製の取付け部材が、樹脂製キャビネットの内側に配備される配線基板との対向位置で上記キャビネットに装着されていて、上記取付け部材に設けられたねじ孔が、上記キャビネットに開設された開口に対峙していると共に、その取付け部材が上記キャビネットに樹脂で一体成形された静電気遮蔽機能を備えるカバー体で覆われてなる。
【００１３】
そして、上記カバー体が、側壁部と天壁部とを有して、その側壁部の１箇所に上記取付け部材を出し入れ可能な開口部が形成されたフード形状の囲構体でなり、上記開口部を通して上記カバー体に挿入された上記取付け部材が上記開口部から抜け出ることを阻止する係合機構を備えていて、その係合機構が、カバー体の上記天壁部に設けられた凹入部と、上記取付け部材に設けられて上記凹入部に係合する突起とでなる。
【００１４】
また、上記突起が、上記取付け部材に具備された板片部の一箇所を山形に膨出させることによって形成されていて、上記取付け部材を上記カバー体に挿入する工程で、当該突起がカバー体の上記天壁部と摺動して上記板片部を弾性に抗して変形させながら上記凹入部に導入されるように構成されていると共に、上記凹入部に導入された上記突起が上記凹入部の縁部を弾圧している反力で、当該取付け部材が上記キャビネットとカバー体の上記天壁部との間で弾圧挟持されている。
【００１５】
この構成を備えた壁掛け金具取付け部材の装着部構造によると、取付け部材に設けられたねじ孔を利用することによって、壁掛け金具を、それと一体の取付けボルト又は壁掛け金具とは別体の取付けボルトを用いて取付け部材にねじ止めすることが可能である。また、板金製の取付け部材が静電気遮蔽機能を備えるカバー体で覆われていることにより、取付け部材と配線基板との空間距離を短くすることが可能になり、当該装着部構造を備えるテレビジョン受像機などの画像表示装置の薄形化を促進しやすくなる。
【００１６】
そして、本発明では、係合機構の作用により、カバー体にその開口部から挿入した取付け部材のその開口部からの抜け出しが阻止されるため、キャビネットと共に樹脂で一体成形されているカバー体に取付け部材を挿入するという１工程を行うだけで当該装着部構造を組み立てることが容易に可能になる。
【００１７】
特に、本発明では、係合機構が、取付け部材の板片部に設けられた山形の突起と、カバー体の天壁部に設けられた凹入部とによって形成されている。そして、取付け部材を上記カバー体に挿入する工程で、当該突起がカバー体の天壁部と摺動して取付け部材の板片部を弾性に抗して変形させながら上記凹入部に導入される、という取付け部材の曲げ特性を利用した構成になっている。そのため、取付け部材をカバー体に挿入するという、熟練を必要としない作業を行うだけで当該装着部構造が組み立てられる。さらに、凹入部に導入された突起が凹入部の孔縁部を弾圧している反力で取付け部材が上記キャビネットとカバー体の上記天壁部との間で弾圧挟持されている、という構成を採用していることにより、取付け部材の振動に伴うびびり音が生じにくいという利点もある。また、仮に画像表示装置を床面に据え置いて使用するような場合でも、スピーカの出力に伴うビビリ音が生じにくくなる。
【００１８】
また、カバー体に挿入した取付け部材を取り出すときには、取付け部材を抜出し方向に強く引張るだけで、突起が板片部を弾性に抗して撓み変形させながら凹入部の孔縁部をくぐり抜けるので、カバー体から取付け部材を抜き出して取り外すことが容易に可能である。しかも、その係合機構が、カバー体側の凹入部と取付け部材側の山形の突起とによって構成されていることにより、カバー体をキャビネットに装着する手段として図１０に示した第１従来例の取付けビス１１０を余分に用いる必要がない。また、図１１及び図１２に示した第２従来例の箱形カバー体３００を余分に用いる必要もない。
【００１９】
本発明では、上記取付け部材が、上記取付け部材が、上記ねじ孔を有するベース片部とこのベース片部に対向する上記板片部とこれらのベース片部及び板片部の後端部同士を連結している中間片部とを有する側面視コ字形に形成されているのに対し、上記カバー体が、上記凹入部を備え、かつ、上記キャビネットの内面に対して上記開口部に向かう上がり勾配を有する傾斜した上記天壁部を有することが望ましい。この構成であれば、取付け部材が側面視コ字形という簡素な形状に形成されているために、その取付け部材を容易に製作することができる。また、カバー体の天壁部が開口部に向かう上がり勾配を有するように傾斜しているので、開口部から取付け部材をカバー体の内部に挿入しやすいという利点がある。
【００２０】
本発明では、上記凹入部をカバー体の上記天壁部の奥側端部に近い箇所に形成し、かつ、上記突起を上記取付け部材の板片部の前端部に近い箇所に形成することによって、上記取付け部材を上記カバー体に挿入する工程で、カバー体の上記天壁部よりも上記板片部が弾性に抗して変形しやすくなるように構成してあることが望ましい。この構成を採用していることにより、板金製の取付け部材の強度が樹脂製のカバー体の強度よりも大きいとしても、取付け部材の板片部をカバー体の上記天壁部よりも弾性に抗して変形しやすくなる。また、板金製の取付け部材に撓み変形性を付与して、樹脂製のカバー体を撓み変形しにくくしてあるので、取付け部材を挿入したり抜き出したりするときにカバー体の天壁部が損傷するというおそれが少なくなる。
【００２１】
本発明では、上記凹入部が、カバー体の上記天壁部に開設された円形の貫通孔部でなり、上記突起が円錐形状を有していることが望ましい。突起の形状は、取付け部材の板片部を横切る方向に延びる山形であってもよいが、この発明のように突起を円錐形状に形成しておくことにより、その突起が円形の貫通孔部でなる凹入部に嵌合しやすくなり、また、嵌合状態での板片部の幅方向及び前後方向での位置決め作用も確実に発揮されるようになる。
【００２２】
ところで、本発明では、板金製の取付け部材が静電気遮蔽機能を備えるカバー体で覆われているために、配線基板と取付け部材との空間距離を短くしても、配線基板に設けられる制御回路の存在しない禁止領域を狭くすることが可能である。しかしながら、カバー体がその側壁部に開口部を有しているために、その開口部の形成箇所ではカバー体による静電気遮蔽機能が損なわれている。
【００２３】
この点を改善して配線基板の禁止領域を狭く抑えるためには、上記カバー体を形成している囲構体が、そのカバー体に挿入された取付け部材の後方位置まで延び出ている、という構成を採用することが有益である。この構成を採用すると、カバー体の開口部から放出される静電気の拡がり領域を狭く抑えることが可能になるので、それだけ配線基板の禁止領域を狭くすることが可能になる。同様に、貫通孔部によって形成されている凹入部の上記貫通孔部の孔縁部に、当該カバー体の外側に延び出た筒部が連設されている、という構成を採用しておくことが、配線基板の禁止領域を狭くするために有益である。
【発明の効果】
【００２４】
以上のように、本発明の壁掛け金具取付け部材の装着部構造によれば、組立作業性が改善されて、取付け部材をカバー体にその開口部から挿入だけの１工程で組立工程を終えることができる。しかも、取付け部材をビス止めしたりする必要がなく、また、取付け部材を覆う箱形カバー体を余分に使用する必要がないので、それだけ組立工程の簡略化と部品点数の削減を図ることができ、また、カバー体に取り付けた取付け部材を取り外すことも容易に可能になる。それにもかかわらず、キャビネットに設けたカバー体によって板金製の取付け部材が覆われていることにより、配線基板に設けられる制御回路の存在しない禁止領域を狭くすることも可能になる。
【図面の簡単な説明】
【００２５】
【図１】薄型テレビジョン受像機の概略背面図である。
【図２】図１のＩＩ−ＩＩ線に沿う部分の概略縦断側面図である。
【図３】図２のＩＩＩ部を拡大した断面図である。
【図４】カバー体の概略斜視図である。
【図５】取付け部材の概略斜視図である。
【図６】組立手順の最初の段階を説明するための断面図である。
【図７】組み立てを終えて取付け部材がリアキャビネットに装着されている状態を示した断面図である。
【図８】図３の矢視ＶＩＩＩ方向から見た装着構造の断面図である。
【図９】静電気の拡がり領域を例示した説明図である。
【図１０】第１従来例の概略分解斜視図である。
【図１１】第２従来例の分解斜視図である。
【図１２】第２従来例の外観斜視図である。
【発明を実施するための形態】
【００２６】
図１は薄型テレビジョン受像機の概略背面図、図２は図１のＩＩ−ＩＩ線に沿う部分の概略縦断側面図、図３は図２のＩＩＩ部を拡大した断面図である。
【００２７】
図１及び図２のように、図例の薄型テレビジョン受像機は、液晶パネル１１や配線基板１２などを備えた液晶モジュール１０が、フロントキャビネット２１とリアキャビネット２２とによって形成されたキャビネット２０に収容されている。そして、リアキャビネット２２の中央部の４箇所に取付け部材３０（図３参照）が設けられていて、その取付け部材３０をリアキャビネット２２に装着するための構造に、本発明に係る装着部構造Ａが適用されている。
【００２８】
この装着部構造Ａでは、図３のように、板金製の取付け部材３０が樹脂製のリアキャビネット２２に装着されていて、その取付け部材３０に設けられているねじ孔３１が、リアキャビネット２２に開設されている円形の開口２３に対峙している。また、取付け部材３０は液晶モジュール１０の配線基板１２（図２参照）に対向して位置している。さらに、取付け部材３０は、リアキャビネット２２に一体に樹脂で成形されているカバー体５０によってそのほゞ全体が覆われている。
【００２９】
図４はカバー体５０の構成を説明するための概略斜視図、図５は取付け部材３０の構成を説明するための概略斜視図である。また、図６及び図７は組立手順を説明するための断面図である。さらに、図８は図３の矢視ＶＩＩＩ方向から見た装着構造の断面図であり、図９は静電気の拡がり領域を例示した説明図である。
【００３０】
図４のように、カバー体５０はフード形状の囲構体でなる。すなわち、カバー体５０を形成している囲構体のフード形状は、１箇所に開口部５１が形成された側壁部５２と天壁部５６とによって形作られていて、側壁部５２は、コ字形に連設された左右各側の壁部５４，５４及び奥側の壁部５５（図３参照）を有している。そして、側壁部５２は、リアキャビネット２２の内面に略垂直に立ち上げられているのに対し、天壁部５６は、リアキャビネット２２の内面に対して、カバー体５０の開口部５１に向かって上がり勾配θ１（図７参照））を有するように傾斜している。したがって、リアキャビネット２２と天壁部５６との対向間隔は、奥側の壁部５５に近い箇所から開口部５１の形成箇所に近付くほど漸次広くなり、開口部５１の形成箇所で最も広くなっている。また、天壁部５０の幅方向中央部に貫通孔部でなる凹入部６１が設けられている。
【００３１】
図５のように、取付け部材３０は、ベース片部３２とこのベース片部３２に間隔を隔てて対向する板片部３３とこれらのベース片部３２及び板片部３３の後端部同士を連結している中間片部３４とを有する側面視コ字形に形成されている。そして、ベース片部３２にバーリング加工によって内向きに形成した短いボス状の筒部３５の内周面にねじ溝を刻設することによって上記したねじ孔３１が形成されている。また、板片部３３の幅方向中央部に突起６５が切起し形成されている。この突起６５は円錐形状を有している。円錐形状の突起６５の外周面の傾斜角度は、たとえば板片部３３の板面に対して４５度に定めることができる。
【００３２】
上記したカバー体５０側の凹入部６１と取付け部材３０側の突起６５とは、開口部５１を通してカバー体５０に挿入された取付け部材３０が開口部５１から抜け出ることを阻止する係合機構６０を構成している（図３及び図７参照）。そして、突起６５が凹入部６１に嵌合しているときには、板片部３３の弾性復元力（図７矢印Ｆ）により突起６５が凹入部６１の孔縁部を弾圧し、その反力で取付け部材３０がキャビネット２２とカバー体５０の天壁部５６との間で弾圧挟持されるように、突起６５のサイズが定められている。
【００３３】
ところで、この実施形態の装着部構造の組立工程では、取付け部材３０をカバー体５０に挿入する工程で、取付け部材３０側の突起６５がカバー体５０の天壁部５６と摺動して取付け部材３０の板片部３３を弾性に抗して変形させる、という状況を生じさせるようになっている。この状況を作り出しておくと、取付け部材を挿入したり抜き出したりするときにカバー体５０の天壁部５６が撓んで亀裂を生じたり欠損したりするといった損傷のおそれが少なくなる。そこで、上記の状況を確実に生じさせるようにするために、この実施形態では、図５に示したように、取付け部材３０の突起６５を板片部３３の前端部に近い箇所に形成することによって、突起６５と板片部３３の後端部との相互間隔Ｘ１をできるだけ長くするという対策を講じている。さらに、取付け部材３０の板片部３３と中間片部３４とによって形作られているコーナ部に開口３６を形成してある。また、図４に示したように、カバー体５０側の凹入部６１（筒部５９の形成箇所）を天壁部５６の奥側端部にできるだけ近づけて、凹入部６１と天壁部５６の奥側端部との相互間隔Ｘ２をできるだけ短くするという対策を講じてある。こうしておくと、板金製の取付け部材３０が、開口３６を有することに加えて、板片部３３を変形させるときの支点（板片部３３の後端部）から作用点（突起の形成箇所）までの距離（上記相互間隔Ｘ１に相当する）が長くなるので、その板片部５６を弾性に抗して変形させる、という状況を確実に作り出すことができる。
【００３４】
次に、図６及び図７を参照して取付け部材３０を組み付ける手順の一例を説明する。
【００３５】
この手順の最初の段階では、図６のように、取付け部材３０のベース片部３２をリアキャビネット２２の内面側に向け、その板片部３３をカバー体５０の天壁部５６側に向けた姿勢で、図６のように取付け部材３０の前部をカバー体５０の開口部５１に挿入する。このときの挿入作業は、カバー体５０の天壁部５６が開口部５１に向かって上がり勾配θ１（図７参照）を有するように傾斜していて、開口部５１が広く確保されているために、熟練を要することなく容易に行うことができる。
【００３６】
次の段階では、取付け部材３０の中間片部３４を手の指などで押し付けることによって、図６のの矢印Ｐのように、取付け部材３０をカバー体５０の内部に押し込む。この押込み作業を行うと、取付け部材３０のベース片部３２がリアキャビネット２２の内面を摺動し、それに伴って取付け部材３０の突起６５が、カバー体５０の天壁部５６の内面と摺動して、取付け部材３０の板片部３３を矢印Ｙのようにリアキャビネット２２に近付く方向に弾性変形させながら天壁部５６の凹入部６１に導入される。そのため、板片部３３がその弾性により復帰方向に変位して、図７のように、突起６５が凹入部６１の孔縁部に弾圧状態で接触する。そのため、凹入部６１に導入された突起６５が凹入部６１の孔縁部を弾圧している反力で、取付け部材３０がリアキャビネット２２とカバー体５０の天壁部５６との間で弾圧挟持され、取付け部材３０がカバー体５０を介してリアキャビネット２２に動かないように装着される。
【００３７】
以上説明したように、取付け部材３０をカバー体５０に挿入するという一工程を行うだけで、取付け部材３０をリアキャビネット２２に装着して組み立てを終えることができる。そのため、図１０に示した第１従来例の取付けビス１１０を余分に用いたり、図１１及び図１２に示した箱形カバー体３００を余分に用いたりする必要がなくなり、それだけ部品点数が削減され、組立工程も簡略化されている。
【００３８】
図７のように取付け部材３０がリアキャビネット２２に装着されている状態では、カバー体５０の内部で取付け部材３０ががたついたり、取付け部材３０が開口部５１から抜け出る方向に引張られたりしたとしても、突起６５が凹入部６１の孔縁部に係合しているので、取付け部材３０がカバー体５０から抜け出るという事態が起こり得ない。言い換えると、凹入部６１と突起６５とによって形成されている係合機構６０の作用によって、カバー体５０からの取付け部材３０の抜け出しが確実に阻止されている。
【００３９】
取付け部材３０をカバー体５０から取り出すときには、たとえば、図７に仮想線で示したように、ドライバやその他の棒状の工具Ｔなどを、貫通孔部でなる凹入部６１に挿入し、その工具Ｔで突起６５を押し付けて板片部３３を弾性に抗して矢印Ｄのようにリアキャビネット２２に近付く方向に撓ませ、そうすることによって突起６５と凹入部６１との係合状態を解除する。このようにすると、係合機構６０の係合状態が解除されて、カバー体５０から取付け部材３０を抜き出して取り外すことが可能になる。
【００４０】
図４のように、この実施形態では、カバー体５０の内部でリアキャビネット２２側に位置決めリブ２４，２４を設けてある。この位置決めリブ２４，２４は、図８に示されているように、カバー体５０に挿入される取付け部材３０をその幅方向で位置規制する作用を発揮する。なお、同様の作用を発揮する位置決めリブ５７，５７をカバー体５０側にも設けてある。
【００４１】
以上説明した実施形態では、取付け部材３０のほゞ全体を覆っているカバー体５０の静電気遮蔽機能によって、取付け部材３０から放出される静電気の量が削減されているけれども、カバー体５０によって覆われていない部分、具体的には、カバー体５０の開口部５１に臨んでいる取付け部材３０の中間片部３４や、カバー体５０の貫通孔部でなる凹入部６１に嵌合している取付け部材３０の突起６５から放出される静電気は、カバー体５０によって遮蔽されることなくその外側へ放出される。そのため、開口部５１や凹入部６１から放出される静電気をできるだけ少なくすることによって、配線基板１２（図２参照）に設けられる制御回路の存在しない禁止領域の広さをできるだけ狭くすることができるようにするための対策を講じることが望まれる。そのために講じ得る有益な対策を次に説明する。
【００４２】
図３及び図７によって判るように、図例の装着部構造では、カバー体５０を形成している囲構体が、カバー体５０に挿入されている取付け部材３０の後方位置まで延び出ている。図７には、取付け部材３０の中間片部３４からのカバー体５０の出幅を符号Ｌ１で示してある。このようにカバー体５０が取付け部材３０の中間片部３４の後方に突き出ていると、カバー体５０の開口部５１が取付け部材３０の後端の中間片部３４よりもさらに後方に位置するので、取付け部材３０の中間片部３４の周囲に向かう静電気の拡がり領域がカバー体５０の左右の壁部５４，５４や天壁部５６により制限されるようになる。したがって、静電気の拡がり領域がその出幅Ｌ１に見合う範囲だけ狭めれる。図９には、カバー体５０によって狭められた静電気の上下方向（取付け部材３０の背高方向）及び左右方向（取付け部材３０の幅方向）での拡がり領域を符号Ｚ１で示してある。
【００４３】
また、カバー体５０の凹入部６１は、天壁部５６に開設された貫通孔部によって形成されているため、取付け部材３０の突起６５の形成箇所から放出される静電気の拡がり領域が、その凹入部６１の開口幅に見合う範囲になる。そこで、この実施形態では、図４などに示したように、カバー体５０の天壁部５６の凹入部６１を形成している貫通孔部の孔縁部に樹脂製の筒部５９を外向きに連設している。こうしておくと、筒部５９が凹入部６１から放出される静電気の拡がり領域を狭めることに役立つ。図９には筒部５９によって狭められた静電気の前後方向での拡がり領域を符号Ｚ２で示してある。なお、筒部５９を設けることに代えて、凹入部６１を樹脂で閉塞してしまうことも考えられるけれども、そのようにすると、リアキャビネット２２と共にカバー体５０を樹脂で一体成形するという技術上の観点から、凹入部６１の成形のために複雑な成形金型が必要になり、成形コストが高くつくことになる。
【００４４】
上記した実施形態では、図４や図８などに示したように、リアキャビネット２２の内面に複数条の背低リブ７０を設けておくことによって、取付け部材３０とカバー体５０との寸法調整を行っている。また、この実施形態は、薄型テレビジョン受像機に適用されているけれども、他の種類の画像表示装置にも適用することが可能である。
【符号の説明】
【００４５】
Ａ  装着部構造
１２  配線基板
２２  リアキャビネット（キャビネット）
２３  開口
３０  取付け部材
３１  ねじ孔
３２  ベース片部
３３  板片部
３４  中間片部
５０  カバー体
５１  開口部
５２  側壁部
５６  天壁部
５９  筒部
６０  係合機構
６１  凹入部
６５  突起
【図１】
2012191082.tif 000003
【図２】
2012191082.tif 000004
【図３】
2012191082.tif 000005
【図４】
2012191082.tif 000006
【図５】
2012191082.tif 000007
【図６】
2012191082.tif 000008
【図７】
2012191082.tif 000009
【図８】
2012191082.tif 000010
【図９】
2012191082.tif 000011
【図１０】
2012191082.tif 000012
【図１１】
2012191082.tif 000013
【図１２】
2012191082.tif 000014